(57)【要約】【課題】  迅速に応答電子メールを送信し得る携帯端末装置を実現すること。【解決手段】  ボタンの押圧に基づいて緊急電子メールを作成する緊急電子メール作成手段と、音声データ記憶手段と、音声入力手段から入力された音声を音声ファイルとして電子メールに添付して応答電子メールを作成する応答電子メール作成手段を具備する端末装置であって、上記緊急電子メールが上記送信場所に到達したことを検出する到達検出手段を設け、上記到達検出手段が上記緊急メールの到達を検出すると上記音声入力手段を音声記録可能状態に設定し、上記音声データ記憶手段に予め記憶していた音声「どうしましたか？」を再生し、これに対応して入力された所持者の音声を録音してその音声ファイルを作成し、上記応答電子メール作成手段は、上記音声ファイルを添付した応答電子メールを作成し緊急メール送信場所に送信するように構成する。【選択図】  図２
2007328776.tif 000002
【特許請求の範囲】
【請求項１】
ボタンの押圧に基づいて緊急電子メールを作成する緊急電子メール作成手段と、該緊急メール作成手段で作成された緊急電子メールを所定の緊急メール送信場所に送信する送信手段と、上記緊急メール送信場所からの対応電子メールを受信する受信手段と、音声データ記憶手段と、音声再生手段と、音声入力手段と、該音声入力手段から入力された音声を音声ファイルとして電子メールに添付して応答電子メールを作成する応答電子メール作成手段とを具備する携帯端末装置であって、
上記音声データ記憶手段に所定の音声データを記録すると共に、上記緊急電子メールが緊急メール送信場所に到達したことを検出する到達検出手段を設け、
上記到達検出手段が上記緊急メールの到達を検出したことに基づいて、上記音声入力手段を音声記録可能状態に設定すると共に、上記所定の音声データを上記音声再生手段にて再生し、
上記音声記録可能状態において上記所定の音声データの再生に対応して入力された音声を上記音声入力手段にて検出して当該入力された音声の音声ファイルを作成する音声ファイル作成手段を設け、
上記応答電子メール作成手段は、上記音声ファイル作成手段にて作成した音声ファイルを添付した応答電子メールを作成するものであり、
上記送信手段は上記応答電子メールを上記緊急メール送信場所に送信するものであることを特徴とする携帯端末装置。
【請求項２】
上記携帯端末装置にＧＰＳ受信手段を設け、上記応答電子メールにはＧＰＳ受信手段にて測位した位置データを添付するものであることを特徴とする請求項１記載の携帯端末装置。
【請求項３】
上記携帯端末装置に加速度センサー及び該センサーからの信号に基づいて加速度を検出する加速度検出手段を設け、該加速度検出手段による当該端末装置の所持者の異常の検出に基づいて、緊急電子メールを緊急メール送信場所に送信するように構成したものであることを特徴とする請求項１記載の携帯端末装置。
【請求項４】
上記加速度センサーからの信号に基づいて上記加速度検出手段が所定時間異常状態を検出しない場合は、上記ＧＰＳ受信手段を所定時間オフ状態とするものであることを特徴とする請求項３記載の携帯端末装置。
【請求項５】
住宅内の複数個所にボタンを設けると共に、上記携帯端末装置の充電器を設置し、上記各ボタンと上記充電器を接続すると共に、何れかの上記ボタンの押圧に基づいて上記充電器に接続された上記携帯端末装置の上記ボタンをオン状態とするリレー手段を設けたものであることを特徴とする請求項１乃至４の何れかに記載の携帯端末装置。
【発明の詳細な説明】
【技術分野】
【０００１】
本発明は、例えば独居老人等が携帯することにより、緊急時に所定の場所に通報できるようにした携帯端末装置に関するものである。
【背景技術】
【０００２】
従来、携帯可能な端末装置であって、老人等が携帯し、緊急ボタンの押圧により、所定の介護センター等への通報を可能とするものが提案されている。
【０００３】
上記従来の端末装置は、介護センターへの通報時に、ＧＰＳ位置情報に基づいて端末装置の位置を通報するものや（特許文献１、４）、緊急時の検出を加速度センサーにより行うもの（特許文献２、４）、緊急時の通報を電子メールにより行うもの（特許文献１、３）等、各種のものが提案されている。
【０００４】
【特許文献１】特開２００５−４４１９７
【特許文献２】特開２００２−１６３７４２
【特許文献３】特開２００２−３２８８６
【特許文献４】特開２００５−２７８７６５
【発明の開示】
【発明が解決しようとする課題】
【０００５】
ところで、この種の従来の端末装置において、電子メールのやり取りで緊急通報を行うものは、緊急ボタンの押圧に基づく緊急用電子メールが介護センターに着信した後、端末装置にて該センターからの対応電子メールを受けた時点で、メッセージ（例えば「どうしましたか？」等）が再生されることになるため、緊急事態の発生時（例えば老人が緊急ボタンを押圧した時点）から、上記応答メッセージが端末装置にて発せられるまでに長時間を要し、緊急事態への対応が遅れるとの課題があった。
【０００６】
また、上記従来の端末装置においてＧＰＳ受信装置にて携帯端末の位置情報を取得するものがあるが、ＧＰＳ受信装置は常時動作状態に設定しておく必要があり、このための電力消費が多く、頻繁に充電しなければならないという課題もあった。
【０００７】
本発明は、上記従来の課題に鑑みてなされたものであり、緊急事態の発生に対応して迅速に本人のメッセージを所定の場所に通報することができると共に、省電力化を実現した緊急用等に適した携帯端末装置を提供することを目的とする。
【課題を解決するための手段】
【０００８】
上記の目的を達成するため本発明は、
第１に、ボタンの押圧に基づいて緊急電子メールを作成する緊急電子メール作成手段と、該緊急メール作成手段で作成された緊急電子メールを所定の緊急メール送信場所に送信する送信手段と、上記緊急メール送信場所からの対応電子メールを受信する受信手段と、音声データ記憶手段と、音声再生手段と、音声入力手段と、該音声入力手段から入力された音声を音声ファイルとして電子メールに添付して応答電子メールを作成する応答電子メール作成手段とを具備する携帯端末装置であって、上記音声データ記憶手段に所定の音声データを記録すると共に、上記緊急電子メールが緊急メール送信場所に到達したことを検出する到達検出手段を設け、上記到達検出手段が上記緊急メールの到達を検出したことに基づいて、上記音声入力手段を音声記録可能状態に設定すると共に、上記所定の音声データを上記音声再生手段にて再生し、上記音声記録可能状態において上記所定の音声データの再生に対応して入力された音声を上記音声入力手段にて検出して当該入力された音声の音声ファイルを作成する音声ファイル作成手段を設け、上記応答電子メール作成手段は、上記音声ファイル作成手段にて作成した音声ファイルを添付した応答電子メールを作成するものであり、上記送信手段は上記応答電子メールを上記緊急メール送信場所に送信するものであることを特徴とする携帯端末装置により構成される。
【０００９】
第２に、上記携帯端末装置にＧＰＳ受信手段を設け、上記応答電子メールにはＧＰＳ受信手段にて測位した位置データを添付するものであることを特徴とする上記第１記載の携帯端末装置により構成される。
【００１０】
第３に、上記携帯端末装置に加速度センサー及び該センサーからの信号に基づいて加速度を検出する加速度検出手段を設け、該加速度検出手段による当該端末装置の所持者の異常の検出に基づいて、緊急電子メールを緊急メール送信場所に送信するように構成したものであることを特徴とする上記第１記載の携帯端末装置により構成される。
【００１１】
第４に、上記加速度センサーからの信号に基づいて上記加速度検出手段が所定時間異常状態を検出しない場合は、上記ＧＰＳ受信手段を所定時間オフ状態とするものであることを特徴とする上記第３記載の携帯端末装置により構成される。
【００１２】
第５に、住宅内の複数個所にボタンを設けると共に、上記携帯端末装置の充電器を設置し、上記各ボタンと上記充電器を接続すると共に、何れかの上記ボタンの押圧に基づいて上記充電器に接続された上記携帯端末装置の上記ボタンをオン状態とするリレー手段を設けたものであることを特徴とする上記第１乃至４の何れかに記載の携帯端末装置により構成される。
【発明の効果】
【００１３】
本発明によれば、携帯端末装置の緊急ボタン等を押圧したとき、緊急メール受信場所に向けて緊急電子メールが送信され、当該メールの上記受信場所への到達を検出したことに基づいて当該携帯端末装置において音声記録可能状態に設定すると共に、直ちに「どうしました？」等との所定の音声データを再生するので、その後に迅速に所持者の応答音声を記録することができる。従って、緊急メール受信場所からの対応メールの着信を待つことなく、上記応答音声を添付した応答電子メールを緊急メール受信場所に送信することができるという効果がある。
【００１４】
また、加速度検出手段が加速度の異常状態を検出しない状態、即ち、携帯端末装置の所持者の異常がない場合は、ＧＰＳ測位動作を一定時間停止するため、省電力化を実現することができる。
【発明を実施するための最良の形態】
【００１５】
以下、本発明に係る携帯端末装置を詳細に説明する。
【００１６】
図１に本発明に係る携帯端末装置１を使用したシステムの全体構成を示す。上記携帯端末装置１は、例えば独居老人宅内の独居老人が携帯するものであり、例えばペンダントのように首に掛けて使用するものである。２は、上記端末装置１との通信が行われる携帯電話網であり、該携帯電話網は専用線５によりインターネット３に接続されている。４は上記端末装置１からの緊急電子メールを上記携帯電話網２並びにインターネット３を介して受信すると共に、対応電子メールを上記端末装置１に向けて送信するコールセンター（緊急メール送信場所）であり、受信した緊急電子メールの内容に応じて介護者６に緊急出動等を通知するものである。尚、７はインターネットサービスプロバイダーである。
【００１７】
図２は上記携帯用端末装置１の全体のブロック図を示す。同図において、８は送受信部であり、無線送信部（送信手段）８ａと無線受信部（受信手段）８ｂとから構成されている。これらの送受信部８ａ，８ｂは必要なときに電源がオンされて所定時間動作状態となるものであり、かかる動作中に上記無線送信部８ａは中央処理部２０から送られてくる緊急用電子メールをアンテナ８’を介してコールセンター４に送信するものである。また上記無線受信部８ｂは上記動作中にコールセンター４から送られてくる対応電子メールを受信し、当該メールを中央処理部２０に送出するものである。
【００１８】
９はＧＰＳ受信機（ＧＰＳ受信手段）であり、所定の時間間隔で電源がオンした動作状態と、電源がオフしたスリープ状態を繰り返すものであり、上記動作状態においてＧＰＳ測位を行い、経度・緯度情報、速度情報、方位情報、高度情報、誤差情報、日付情報からなる位置情報を取得し、これらの情報を測位データとしてデータ記憶部１９に記憶するものである。
【００１９】
１０は緊急押しボタンスイッチ（ボタン又は緊急ボタン）であり、緊急時に使用者が押圧することで、スイッチ入力部１１を介して中央処理部２０に緊急信号が送出されるものである。尚、このボタン１０は、短時間のオンモードといわゆる長押しモードがあり各々異なる動作が行われる。尚、これらの動作の後述の動作説明にて詳述する。
【００２０】
１２は表示部であり、例えば、小型の液晶表示部から構成され、現在のモード等を表示し得るように構成されている。尚、より簡易的にはＬＥＤを並設して現在のモードに対応するＬＥＤを点灯する等でも良い。
【００２１】
１３はスピーカであり、音声記憶部（音声データ記憶手段）１４に予め記憶されている音声データ（例えば「どうされました？」等の応答を促す音声データ（所定の音声データ））を音声出力部１５を介して再生するものであり、例えば上記緊急押しボタンスイッチ１０が押圧された直後に「どうされました？」等の上記音声が当該スピーカ１３から再生される。尚、上記音声出力部１５とスピーカ１３により音声再生手段が構成されている。
【００２２】
ＭＣはマイクであり、上記応答を促す音声に対応して当該端末装置１の所持者の応答音声を記録するために設けられたものである。上記音声に対応する所持者の応答音声は当該マイクＭＣより入力し音声入力部１６を介して中央処理部２０に送出される。中央処理部２０では、上記音声信号をデジタルデータに変換してデータ記憶部１９に記憶すると共に、当該音声データに基づいて音声ファイルを作成する処理が行われる。尚、マイクＭＣと音声入力部１６により音声入力手段が構成されている。
【００２３】
１７は加速度センサーであり、当該端末装置１の所持者の加速度を示す信号を加速度検出部１８に送出する。尚、所持者が停止している場合は、何らの信号を送出しない。１８は加速度検出部であり、上記所持者が転倒する等の通常の動作速度を超えた状態を呈した場合は、当該転倒状態を検出し、中央処理部２０に緊急信号を送出するものである。尚、加速度センサー１７と加速検出部１８により加速度検出手段が構成されている。
【００２４】
１９はデータ記憶部であり、上記ＧＰＳ測位データ、上記応答音声データが記録される他、コールセンター４のメールアドレス等が予め記憶されている。
【００２５】
２０は中央処理部であり、図５−図７に示す動作手順のプログラムが記憶されており、当該プログラムに基づいて上記各部から送られてくる信号等に従って緊急メールの作成、対応メールの音声データの再生等を行うものである。具体的な動作は動作説明の項にて詳述する。
【００２６】
２１は電源部であり、上記中央処理部２０をはじめ各部に電源を供給するものであり、例えば携帯電話等に使用されている小型の充電電池により構成されている。２２は充電部であり、端子２３からのＡＣ１００Ｖを受けて上記電源部２１に供給するものである。
【００２７】
図３において、２４は充電器であり、例えば住宅内の壁等に設置されており、上記携帯用端末装置１との係合部２４’を有している。上記端末装置１を上記係合部２４’に設置すると、上記端子２３から充電部２２にＡＣ１００Ｖの電源が供給されるように構成されている。また、端末装置１を充電器２４に設置すると、上記ＧＰＳ受信機９はオフ状態となる。
【００２８】
２５は上記住宅内の居間に設置された緊急用押しボタン、２６は玄関に設置された緊急用押しボタン、２７はトイレに設置された緊急用押しボタンであり、各々リレーＲを介してＡＶ１００Ｖの家庭用電源に接続されている。上記リレーＲは、上記何れかの押しボタン２５乃至２７が押圧されたとき、上記端末装置本体１の緊急ボタン１０をオンしてスイッチ入力部１１に緊急信号を送出するものである。よって、上記端末装置１の充電中は、上記住宅内の各部に設置された緊急ボタン２５乃至２７の何れかを押すことで、携帯端末装置１の緊急用押しボタン１０を押圧したと同様の緊急通報を行うことができる。
【００２９】
図４に示すものは本発明の中央処理装置２０の機能ブロック図であり、本発明は、ボタンの押圧に基づいて緊急電子メールを作成する緊急電子メール作成手段（１１，１９，２０）と、該緊急メール作成手段（１１，１９，２０）で作成された緊急電子メールを所定の緊急メール送信場所（コールセンター４）に送信する送信手段（８ａ）と、上記緊急メール送信場所からの対応電子メールを受信する受信手段（８ｂ）と、音声データ記憶手段（１４）と、音声再生手段（１３，１５）と、音声入力手段（ＭＣ，１６）と、該音声入力手段（ＭＣ，１６）から入力された音声を音声ファイルとして電子メールに添付して応答電子メールを作成する応答電子メール作成手段（１９，２０）とを具備する携帯端末装置であって、上記音声データ記憶手段（１４）に所定の音声データを記録すると共に、上記緊急電子メールが緊急メール送信場所に到達したことを検出する到達検出手段（８ｂ，２０）を設け、上記到達検出手段（８ｂ，２０）が例えば開封確認返送メール等により上記緊急メールの緊急メール送信場所への到達を検出したことに基づいて、上記音声入力手段（ＭＣ，１６）を音声記録可能状態に設定すると共に、上記所定の音声データを上記音声再生手段（１３，１５）にて再生し、上記音声記録可能状態において上記所定の音声データの再生に対応して入力された音声を上記音声入力手段（ＭＣ，１６）にて検出して当該入力された音声の音声ファイルを作成する音声ファイル作成手段（２０）を設け、上記応答電子メール作成手段（１９，２０）は、上記音声ファイル作成手段（２０）にて作成した音声ファイルを添付した応答電子メールを作成するものであり、上記送信手段（８ａ）は上記応答電子メールを上記緊急メール送信場所に送信するものであることを特徴とする携帯端末装置により構成されている。
【００３０】
次に、本発明に係る携帯端末装置の動作を図５−図７のフローチャート及び図４の機能ブロック図に基づいて説明する。
（１）定常時の動作（図５）
まず、本発明に係る携帯端末装置１は独居老人等の所持者が首に掛ける等しているものとし、充電器２４には設置されていないものとする。中央処理部２０は一定時間の待時間の経過を検出すると（図５Ｐ１）、送信準備を行う（図５Ｐ２）。具体的には、無線送信部８ａと無線受信部８ｂを動作状態とする。次に、中央処理部２０は、データ記憶部１９からＧＰＳ測位データ（位置データ）を読み出し、位置データを無線送信部８ａに送出する。該無線送信部８ａは上記位置データをコールセンター４に送信する（図５Ｐ３）。同時に、中央処理部２０は、音声記憶部１４から定常音声データを読み出し、音声出力部１５に送出する。よって、スピーカ１３から定常音声、例えば「異常はありませんか？」等の音声が出力される（図５Ｐ４）。このとき、中央処理部２０は、音声入力部１６を動作状態としてマイクＭＣからの音声入力を可能な状態（音声記録可能状態）に設定する（図５Ｐ５）。
【００３１】
そして、音声入力がなければ、中央処理部２０は音声出力データがあるか否かを検出し、音声出力データがなければ、送信終了処理を行う（図５Ｐ５−Ｐ８）。即ち、上記無線送信部８ａと無線受信部８ｂを停止状態とする（図５Ｐ８）。上記ステップＰ７にてコールセンター４からの定常メールの受信があれば、当該定常メールに音声データが添付されているか否かを確認し、音声データが存在する場合は、当該データを音声出力部１５に送出して、定常音声データを再生する（図５Ｐ７）。
【００３２】
上記ステップＰ５（音声記録可能状態）にて所持者が何らかの音声（例えば、「介護者を呼んでください」）をマイクＭＣに向けて話すと、当該音声信号はマイクＭＣにて記録され、音声入力部１５を介して中央処理部２０に送出される。中央処理部２０は上記音声信号をデジタルデータに変換すると共に音声ファイル化する。そして、中央処理部２０はデータ記憶部１９からコールセンター４のメールアドレスを読み出して当該アドレスを送信先アドレスとして設定した電子メールを作成すると共に、上記音声ファイルを添付し、当該電子メールを無線送信部８ａに送出する。上記無線送信部８ａは当該電子メールを携帯電話網２に送出する（図５Ｐ６）。
【００３３】
上記電子メールは携帯電話網２からインターネット３を介してコールセンター４にて受信され、当該センター４にて必要な介護者に連絡され、介護者が上記所持者宅に派遣することができる。
【００３４】
（２） 定常時のＧＰＳ受信動作（図６）
次に、上記定常動作時のステップＰ３（図５）におけるＧＰＳ受信動作について説明する。当該端末装置１は充電器２４に設置されていないので（図６Ｐ１）、中央処理部２０はＧＰＳ受信機９を動作状態（オン状態）に設定している。このとき、ＧＰＳ受信機はローパワーモードで動作状態となる（図６Ｐ３、Ｐ４）。
【００３５】
次に、ＧＰＳ受信機９がＧＰＳ測位を行い、位置情報（緯度・経度、速度、方位、高度、誤差情報、日付情報）を取得する。中央処理部２０は取得された位置データをデータ記憶部１９に記憶させる（図６Ｐ５）。次に、中央処理部２０は、加速度検出部１８を介して加速度センサー１７が通常出力であるか否かを検出し（図６Ｐ６）、定常状態、例えば所持者が歩行している等の通常の動作状態であれば（図６Ｐ６）、ＧＰＳウェイクアップモードに設定する（図６Ｐ８）。
【００３６】
そして、中央処理部２０が５分間（任意に設定可能）の経過を検出すると（図６Ｐ９）、中央処理部２０はＧＰＳ受信機９をオフ状態に設定し（図６Ｐ１０）、５分間経過するまでスリープモードとする（図６Ｐ１１、Ｐ１２）（尚、スリープモードの５分も任意である）。そして、中央処理部２０はスリープモードにて５分間の経過を検出すると（図６Ｐ１２）、ステップＰ１（図６）に戻って同一の動作を繰り返す。
【００３７】
よって、所持者が転倒等の異常を呈しない限り、５分間ＧＰＳ測位が行われた後、５分間のスリープモードとなり、その後、再度５分間のＧＰＳ測位が行われる、という動作を繰り返し行うことになる。このように、ローパワーモードで駆動されるＧＰＳ測位が５分毎に行われ、しかも５分間のスリープモードが介在するので、全体としてＧＰＳ測位に伴う消費電力を低減することができる。
【００３８】
上記中央処理部２０は、上記ステップＰ７（図６）にて加速度センサー１７からの出力に基づいて、所持者が転倒等して異常が検出された場合は、図７のステップＰ４にジャンプして緊急メール送信モードの動作を行う。
【００３９】
（３）緊急時動作（図７）
（イ）緊急ボタンの通常オン動作
所持者が介護者の助けを求めたい場合は、緊急ボタン１０を押せばよい。すると、中央処理部２０（図４緊急電子メール作成手段）は当該緊急ボタン１０の押圧を検出し（図７Ｐ１，Ｐ２，Ｐ３）、無線送信部８ａ（図４送信手段）と無線受信部８ｂ（図４受信手段）を動作状態に設定して送信準備を行う（図７Ｐ３）。その後、中央処理装置２０（図４緊急電子メール作成手段）は、データ記憶部１９から緊急電子メールのテキストデータ（例えば、「緊急事態です」等）及びコールセンター４のメールアドレスを抽出し、当該テキストデータが本文に記載されたコールセンター４宛の緊急電子メールを作成し、当該緊急電子メールを無線送信部８ａに送出する（図７Ｐ４）。尚、ここで中央処理部２０、データ記憶部１９、スイッチ入力部１１等により緊急電子メール作成手段が構成されている。
【００４０】
上記無線送信部８ａでは、上記緊急電子メールを携帯電話網２に送出する。よってこの緊急電子メールは、インターネット３を通じてコールセンター４にて受信される。このコールセンターにて受信されると、緊急電子メールがコールセンター４に到着した旨の着信完了データが上記携帯端末装置１にコールセンター４から返信される。上記携帯端末装置１の無線受信部８ｂは、この着信完了データを受信すると、中央処理部２０（図４到着検出手段）がその旨検出し（図７Ｐ５）、さらに中央処理装置２０（図４音声再生手段）は音声データ記憶部１４（図４音声データ記憶手段）から応答を促す音声データ（「どうしましたか？」）を読み出してアナログ信号に変換し、当該音声信号を音声出力部１５（図４音声再生手段）に送出する。すると、音声信号がスピーカ１３に送出され、「どうしましたか？」との音声がスピーカ１３から出力され、音声入力指示が行われる（図７Ｐ６）。このとき、中央処理部２０は同時に音声入力部１６（図４音声入力手段）を動作状態に設定してマイクＭＣから音声入力可能な状態（音声記録可能状態）とする（図７Ｐ７）。尚、ここで無線受信手段８ｂ及び中央処理部２０にて到達検出手段が構成されている。
【００４１】
上記緊急電子メールがコールセンター４に到着した旨の着信完了データは、例えば電子メールの送受信プロトコルであるＰＯＰ３／ＳＭＴＰにおいて、上記緊急電子メール作成手段にて電子メールのヘッダに例えば「Ｄｉｓｐｏｓｉｔｉｏｎ−Ｎｏｔｉｆｉｃａｔｉｏｎ−Ｔｏ＜コールセンターのメールアドレス＞」等の記述を付け加え、当該緊急電子メールを送信手段にてコールセンター４に送信することにより、該コールセンター４に対して電子メールの開封通知を要求することによって実現することができる。このように構成すると、コールセンター４にて緊急電子メールを受信した際に、開封通知がコールセンター４から携帯端末装置１に返送されるため、当該開封確認の返送メールを上記着信完了データとして上記無線受信部８ｂにて受信し上記到達検出手段（８ｂ，２０）にて検出するように構成すれば良い。
【００４２】
このように緊急電子メールがコールセンターに到着した後、直ちに携帯端末側にて「どうしました？」との音声入力指示を行えるため、所持者の音声入力を迅速に促すことができるとの効果がある。
【００４３】
尚、上記構成は簡易的には、上記無線送信部８ａ（図４送信手段）が上記緊急電子メールの送信を完了した場合に、中央処理装置２０が当該送信完了を検出し、これに基づいて上記音声データ（「どうしましたか？」）を読み出してアナログ信号に変換し、当該音声信号を音声出力部１５に送出するように構成しても良い（図７Ｐ５）。
【００４４】
その後、所持者が上記音声入力指示に対して例えば「介護者を呼んでください」と音声を発した場合、当該音声をマイクＭＣが捕らえてその音声信号は音声入力部１６を介して中央処理部２０に入力する。上記中央処理部２０（図４音声ファイル作成手段）は入力した音声信号をデジタル信号に変換し（図７Ｐ８）、音声ファイルを作成し、該中央処理装置２０（図４応答電子メール作成手段）は、当該音声ファイルを添付した応答電子メールを作成し、コールセンター４のアドレスを付加し、該コールセンター４宛の応答電子メールを作成し、当該応答電子メールを無線送信部８ａに送出する（図７Ｐ９）。このとき、上記データ記憶部１９内に記憶されている最新のＧＰＳ測位データも上記応答電子メールに添付される。その後、無線送信部８ａ（図４送信手段）から当該応答電子メールがコールセンター４に向けて送信される（図７Ｐ９）。
【００４５】
尚、上記中央処理部２０にて音声ファイル作成手段が構成され、データ記憶部１９と中央処理部２０にて応答電子メール作成手段が構成されている。
【００４６】
その後、中央処理部２０は上記無線受信部８ｂを動作状態に維持した着信待ち状態に設定する（図７Ｐ１０）。そして、中央処理部２０は、この着信待ち状態を５分間継続し（図７Ｐ１１，Ｐ１２）、その間にコールセンター４からの対応電子メールを受信した場合は、当該電子メールに添付された音声データの再生処理を行う（図７Ｐ１１，Ｐ１３）。即ち、無線受信部８ｂにて対応電子メールを受信した場合は、それに添付されている音声ファイルをアナログ音声信号に変換し、当該音声信号を音声出力部１５に送出する。すると、例えば「介護者Ａさんを呼びましたので安心してください」等の対応音声がスピーカ１３から出力される（図７Ｐ１３）。尚、コールセンター４では、電子メールや電話等の通信手段により介護者６に連絡を取り、直ちに所持者宅に向かうように指示する。
【００４７】
その後、中央処理部２０は無線送信部８ａ、無線送信部８ｂをオフ状態（回線切断状態）に設定し、ステップＰ１に戻る（図７Ｐ１４）。
【００４８】
（ロ）緊急ボタンの長押しモード（図７）
次に、ステップＰ１０（図７）の５分間の着信待ち状態において、コールセンター４から対応電子メールの着信がなかった場合は、中央処理部２０は５分の経過を待って（図７Ｐ１２）、ステップＰ１４にて回線切断を行う。即ち、無線送信部８ａ及び無線受信部８ｂをオフ状態とする。よって、この場合は、コールセンター４からの対応電子メールを受信することができない。
【００４９】
この場合は、所持者が緊急ボタン１０を長押し（５秒以上）することにより、長時間の着信待ち状態に設定することができる。
【００５０】
即ち、この場合、所持者は緊急ボタン１０を５秒以上長押しすれば良い（図７Ｐ２）。すると、中央処理部２０は、無線送信部８ａと無線受信部８ｂを動作状態に設定し（図７Ｐ１５）、着信待ち状態に設定する（図７Ｐ１６）。この着信待ち状態は、１時間継続し（図７Ｐ１７，Ｐ１８）、当該時間内にコールセンター４からの対応電子メールを受信した場合は（図７Ｐ１７）、当該電子メールに添付された音声データを再生して、スピーカ１３から「介護者Ａさんを呼びましたので安心してください」等の応答音声が再生される（図７Ｐ１９）。その後、中央処理部２０は無線送信部８ａ、無線受信部８ｂをオフ状態に設定し（図７Ｐ２０）、ステップＰ１に戻る。尚、上記着信待ちの５分、１時間、並びに長押しモードの５秒は各々任意に設定が可能である。
【００５１】
（４）充電時の動作
本発明に係る携帯端末装置１を充電する場合は、壁面等に固設された充電器２４に当該装置１を載置する。すると、ＡＣ１００Ｖの商用電源が端子２３から充電部２２に供給され、電源部２１の充電池に充電が行われる。このとき、居間、玄関、トイレに緊急ボタン２５−２７が設置されているので、何れかの緊急ボタンをおすことにより、図７ステップＰ４に以下に示す緊急電子メールのコールセンター４への送信動作を行うことができる。
【００５２】
（５）その他の動作
コールセンター４から携帯端末装置１側に周辺音の傍受指令の電子メールを送信し、当該メールを携帯端末装置１で受信した場合は、当該装置１の中央処理装置２０は傍受指令があった旨を検出し、当該検出に基づいて音声入力部１６とマイクＭＣを動作状態とする。その結果、一定時間携帯端末装置１の周辺音がマイクＭＣを通じて入力し、中央処理部２０（音声ファイル作成手段）は入力された周辺音をデジタル信号に変換し音声ファイルを作成する。その後、応答電子メール作成手段が当該音声ファイルを添付した電子メールを作成し、当該電子メールをコールセンター４に送信する。このように構成すると、コールセンター４から強制的に携帯端末装置１の周辺音を傍受することができ、例えば当該携帯端末装置の所持者（独居老人、子供等）の周辺の異常の有無をセンター４側で確認することができる。この場合、端末１の所持者に傍受モードに入った旨を携帯端末装置１側でチャイム等を鳴らすことによりその所持者に知らせることもできる。
【００５３】
以上のように、本発明によれば、携帯端末装置１の緊急ボタン１０等を押圧したとき、緊急メール受信場所に向けて緊急電子メールが送信され、当該メールの上記受信場所への到達を検出したことに基づいて当該携帯端末装置１において音声記録可能状態に設定すると共に、直ちに「どうしました？」等との所定の音声データを再生するので、その後に迅速に所持者の応答音声を記録することができる。従って、緊急電子メールが受信場所に確実に到達した後に、緊急メール受信場所からの対応メールの着信を待つことなく、上記応答音声を添付した応答電子メールを緊急メール受信場所に送信することができるという効果がある。
【００５４】
また、加速度検出手段が加速度の異常状態を検出しない状態、即ち、携帯端末装置の所持者の異常がない場合は、ＧＰＳ測位動作を一定時間停止するため、省電力化を実現することができる。
【００５５】
また、端末装置１の充電中は、住宅内に設置された複数個所のボタン（２７等）により緊急通報が可能であるので、携帯時のみならず家庭内における緊急通報装置としても使用できるという効果がある。
【図面の簡単な説明】
【００５６】
【図１】本発明に係る形態端末装置を使用した緊急通報システムの全体構成図である。
【図２】同上端末装置のブロック図である。
【図３】同上端末装置の充電器に関連する構成のブロック図である。
【図４】同上端末装置の中央処理部の機能ブロック図である。
【図５】同上端末装置の動作手順を示すフローチャートである。
【図６】同上端末装置の動作手順を示すフローチャートである。
【図７】同上端末装置の動作手順を示すフローチャートである。
【符号の説明】
【００５７】
１          携帯端末装置
４          コールセンター
８ａ        無線送信部
８ｂ        無線受信部
９          ＧＰＳ受信機
１０        緊急ボタン
１１        スイッチ入力部
１３        スピーカ
１４        音声記憶部
１５        音声出力部
１６        音声入力部
１７        加速度センサー
１８        加速度検出部
１９        データ記憶部
２０        中央処理部
２４        充電器
２５―２７  緊急ボタン
ＭＣ        マイク
Ｒ          リレー
【図１】
2007328776.tif 000003
【図２】
2007328776.tif 000004
【図３】
2007328776.tif 000005
【図４】
2007328776.tif 000006
【図５】
2007328776.tif 000007
【図６】
2007328776.tif 000008
【図７】
2007328776.tif 000009